(57)【要約】      （修正有）【課題】幼児が用い、振るとほぼ同調して光が発生する発光玩具を提供する。【解決手段】電源２および電気回路５を内蔵する筒状持ち手１１を揺動するとその加速度によりこの電気回路を閉じたりあるいは開けたりすることで内蔵スイッチ３を作動させ該筒状持ち手端部に設ける光源４を通電駆動あるいは停止させて振りにほぼ同調して発光を明滅させる。【選択図】図１
0003182303.tif 000002
【実用新案登録請求の範囲】
【請求項１】
電源および電気回路を内蔵する筒状持ち手を揺動するとその加速度によりこの電気回路を閉じたりあるいは開けたりする内蔵スイッチを作動させ該筒状持ち手の片方もしくは両方の端部に設ける光源を通電駆動あるいは停止させ該光源を内包するように連結して設けられる発光部内においてこの電気回路に連結される光源の発光をそれぞれ点灯あるいは消灯させるようにしてなる発光玩具。
【請求項２】
請求項１に記載の発光玩具において該発光部を透明ないし半透明な球状、円筒状、棒状、ヒモ状、先端が細くなるムチ状もしくは多面体状の基本形状としその表面に凹凸面やカット面を設けて発光を屈折したり透過率を変えたりあるいは着色したり蛍光剤を塗布したりしてなる発光玩具。
【請求項３】
請求項１に記載の発光玩具において該光源に近接してこの光源から出た光をその片方の端部から導入させるグラスファイバー等光伝達材を設けその躯体もしくは反対側の端部もしくは途中の切り込み部からこの光を該発光部内に、もしくは発光部本体として放出させるようにしてなる発光玩具。
【請求項４】
請求項１に記載の発光玩具において該発光部内に粒体を適宜封入し本体の揺動で該発光体内壁との衝突音を発するようにしてなる発光玩具。
【考案の詳細な説明】
【技術分野】
【０００１】本考案は、主に乳幼児が用いる発光する玩具に関するものである。
【背景技術】
【０００２】従来、玩具で発光装置を有するものには組み立てブロック、ボールやフラフープ等があるがいずれもある程度の年齢の幼児が対象である。
【考案の開示】
【考案が解決しようとする課題】
【０００３】生後３ヶ月から２歳程度の乳幼児が好む玩具で「ガラガラ」と一般的に呼称され振ると音がしたり絵柄が動いたりする玩具があるが、同じように振るとほぼ同調して光が発生する玩具があることが望まれる。
【課題を解決するための手段】
【０００４】本考案は電源および電気回路を内蔵する筒状持ち手を揺動するとその加速度によりこの電気回路を閉じたりあるいは開けたりする内蔵スイッチを作動させ該筒状持ち手の片方もしくは両方の端部に設ける光源を通電駆動あるいは停止させ該光源を内包するように連結される発光部内においてこの電気回路に連結される光源の発光をそれぞれ点灯あるいは消灯させるようにする。
【考案の効果】
【０００５】本考案によれば乳幼児が本発光玩具を握って振ることによりそのリズムにほぼあわせて間欠的に発光が生じ、光るものへの好奇心、美しさ、面白さからより強くひきつけられ遊びに興ずるようになる。乳幼児の心身における発育促進効果も期待できる。
【実施例】
【０００６】以下、本考案を図１から図３の応用実施例について説明する。図１は本考案による応用の代表実施例として発光玩具本体の外観形状の一部および内部断面形状を示し、図２は電気回路中の主要要素である振動を感知するスイッチの応用実施例を図３は他の応用例を示す。【０００７】本考案の応用実施例として図１の破断線Ａ−Ａの右側の外観図（部分）に示すように発光玩具本体（１）が円筒状の持ち手（１１）およびその両端に球体状の発光部（１２）を有する亜鈴状形状の場合につき述べる。持ち手（１１）は樹脂、金属あるいは紙材で構成し乳幼児が握りやすい大きさ形状に整え、発光部（１２）は透明ないし半透明樹脂材で光源（４）から放出される光を透過、拡散あるいは着色して外部から見えるように形成する。持ち手（１１）内部は同図破断線Ａ−Ａの左側の断面図（部分）に示すように内部は中空としここに主として電池等電源（２）、スイッチ（３）（破線で示す）および光源（４）よりなる電気回路（５）を包含し、電源（２）はスイッチ（３）の開閉により光源（４）の駆動電力を停止あるいは通電させるよう電気回路（５）は設定される。ここに該スイッチ（３）は該持ち手（１１）が揺す振られるとそれに応じて開閉されるようなセンサーを有し適宜作動するように設けられる。光源（４）は主として発光ダイオード（ＬＥＤ）、白熱豆電球等小型の発光体を用い、同図のように持ち手（１１）の端部に発光部（１２）内を照明できるように設けられる。これにより今本体（１）を乳幼児が持ち手（１１）を握って揺す振るとスイッチ（３）が検知して回路を閉じ電気入力を通電し光源（４）が発光しそれに応じて発光部（１２）も光る。【０００８】図２は前記図１において持ち手（１１）に内蔵されるスイッチ（３）（破線）の応用実施例を示す。その内部は振り子（３１）、これに連結するバネＡ（３２）および別のバネより成りいずれも金属等導電性の材料で構成され電源（２）および光源（４）と電気回路（５）に接続され持ち手（１１）を同図のように左右に揺す振る作用が働くと振り子（３１）は同図２の触れ方向矢印の示すように右方向や左方向に振れるよう設定される。同図２の上図の触れ方向矢印が示すように振り子（３１）が右方向に揺動されて移動すると振り子（３１）とバネＢ（３３）は離れスイッチとしては「開」状態で通電はされず光源（４）は駆動が停止され消灯状態となるが、通常の本体（１）が静止状態でもバネＡ（３２）の引き付け作用でこの状態と同様になるよう設定される。また逆に左方向に振り子（３１）が揺動されて移動すると振り子（３１）はバネＢ（３３）に接触し更にある程度これを圧縮しつつ押し続けるよう設定すれば一定の時間この状態で電気回路（５）はスイッチ（３）が「閉」状態となり通電されて光源（４）は駆動され点灯を続ける。この結果、振り子（３１）は上記のような開閉二つの状態を繰り返す作用を惹き起こし光源（５）は明滅を繰り返すようになる。なお、本例で示すようにスイッチ（３）は振り子（３１）とバネＢ（３３）の接触時間をある程度設定することでＬＥＤのような点灯に時間遅れが生じるような光源に十分な電力通電が行えると同時に点灯時間を長く取れるように設定でき本装置の効果を向上できる。なお、スイッチ（３）は同様効果が得られればもちろん加速度感知機能のついた他の方式のもので置き換えてもかまわない。【０００９】発光部（１２）は図１の本例の球状以外に円筒状、多面体状の形状でもよく、この表面に凹凸面やカット面を設けて内包される光源（４）の光を屈折したり、透過率を変えたり、拡散したりあるいは着色したり蛍光剤を塗布して蛍光色を発するようにしたりしてもよい。また光源（４）の数および色は単色もしくは多色あるいは変色どれでも適宜設定し得る。【００１０】本考案の他の応用実施例を図３に示す。発光部（１２）を透明ないし半透明の樹脂材の細長い先端が細くなる棒のような形状とし内部を中空にして持ち手（１１）の少なくとも一方の端部の光源（４）を内包したり、あるいは中実にして同光源（４）の光を直接その内部に照射し伝達し適宜放射したりすることでこの部分が持ち手（１１）を持って振ると点滅するようにしてもよい。前記発光部（１２）を柔軟な材料を用いてムチ形状あるいはヒモ形状にすると持ち手（１１）を振ることにより発光部がしなりながら明滅して光り幻想的な発光玩具が可能となる。この光の伝達材にグラスファイバー（図示せず）を用いてその先端を光らせたり、中実材の表面に切り欠きを施しそこから光を放出させたりしても同様である。【００１１】なお、本発光玩具において該発光部内が中空の場合内部に粒体（６）を適宜封入し本体（１）を揺動することで該発光体内壁との衝突音を発するようにして光の明滅との相乗効果を生じるようにしてもよい。【００１２】なお、本考案に関わる揺動とあわせて発光する方法は乳幼児用の玩具だけでなく大きさ、形状等を成人用に適宜変更し、なわとび、亜鈴あるいは杖等揺動を伴う通常の用具に展開可能でその光の明滅をリズミカルな動きの支援や夜間の視認、例防災効果の向上などにも寄与することが期待できる。
【図面の簡単な説明】
【００１３】
【図１】本考案に関わる代表例の発光玩具本体の外観図および内部断面図である。
【図２】本考案に関わる代表例の電気回路での主要要素である振動を感知するスイッチの応用実施例図である。
【図３】本考案に関わる他の応用実施例図である。
【符号の説明】
【００１４】  （１）本体  （２）電源  （３）スイッチ  （４）光源  （５）電気回路  （６）粒体  （１１）持ち手  （１２）発光部  （３１）振り子  （３２）バネＡ  （３３）バネＢ
【図１】
0003182303.tif 000003
【図２】
0003182303.tif 000004
【図３】
0003182303.tif 000005